(57)【要約】【課題】プラスチック廃材等から付着物を簡単かつ効率良く除去するプラスチック廃材等の乾式洗浄装置を提供する。【解決手段】外周面に樹脂層が取り付けられ、コンベア４の搬送方向に回転する回転ローラ５と、回転ローラ５よりも小径であって、外周面にワイヤーブラシ又はサンドペーパーが取り付けられ、回転ローラ５に隣接して反対方向に高速回転する高速回転ローラ６と、高速回転ローラ６を駆動するモーター７と、回転ローラ５と同径であって、高速回転ローラ６の後段に位置し、回転ローラ５に隣接して反対方向に回転する回転ローラ８と、回転ローラ５及び回転ローラ８を駆動するモーター９と、回転ローラ８よりも小径であって、回転ローラ８の後段に位置し、外周面にワイヤーブラシ又はサンドペーパーが取り付けられ、回転ローラ８に隣接して反対方向に高速回転する高速回転ローラ１０と、高速回転ローラ１０を駆動するモーター１１とを備える。【選択図】図１
2013138998.tif 000002
【特許請求の範囲】
【請求項１】
洗浄対象物を投入する投入口と、
前記投入口から投入された洗浄対象物を所定量ずつ順次供給する供給手段と、
前記供給手段により供給された前記洗浄対象物を順次搬送する搬送手段と、
外周面に樹脂層が取り付けられ、前記搬送手段の搬送方向に回転する第１回転ローラと、
前記第１回転ローラよりも小径であって、外周面にワイヤーブラシ又はサンドペーパーが取り付けられ、前記第１回転ローラに隣接して反対方向に高速回転する第１高速回転ローラと、
前記第１高速回転ローラを駆動する第１高速回転ローラ駆動手段と、
前記第１回転ローラと同径であって、前記第１高速回転ローラの後段に位置し、前記第１回転ローラに隣接して反対方向に回転する第２回転ローラと、
前記第１回転ローラ及び前記第２回転ローラを駆動する回転ローラ駆動手段と、
前記第２回転ローラよりも小径であって、前記第２回転ローラの後段に位置し、外周面にワイヤーブラシ又はサンドペーパーが取り付けられ、前記第２回転ローラに隣接して反対方向に高速回転する第２高速回転ローラと、
前記第２高速回転ローラを駆動する第２高速回転ローラ駆動手段と、
前記第２高速回転ローラを通過した前記洗浄対象物を集荷する集荷手段とを備えることを特徴とする乾式洗浄装置。
【請求項２】
前記回転ローラ駆動手段は、前記第２回転ローラを駆動するとともに、該第２回転ローラに前記第１回転ローラを連動させることを特徴とする請求項１に記載の乾式洗浄装置。
【請求項３】
前記第１高速回転ローラ及び／又は前記第２高速回転ローラは、複数連設されていることを特徴とする請求項１又は請求項２に記載の乾式洗浄装置。
【請求項４】
前記第１高速回転ローラが第１回転ローラを押圧する圧力を調整する第１圧力調整手段を備えることを特徴とする請求項１乃至請求項３の何れか１つに記載の乾式洗浄装置。
【請求項５】
前記第２高速回転ローラが第２回転ローラを押圧する圧力を調整する第２圧力調整手段を備えることを特徴とする請求項１乃至請求項４の何れか１つに記載の乾式洗浄装置。
【発明の詳細な説明】
【技術分野】
【０００１】
本発明は、主にプラスチック廃材の付着物を乾式にて取り除くプラスチック廃材等の乾式洗浄装置に関する。
【背景技術】
【０００２】
廃家電から分別されたプラスチック廃材には、例えば、ウレタンや銀紙等の付着物が付着しており、プラスチック廃材をプラスチック由来の製品として再利用するためには、プラスチック廃材から付着物を取り除く必要がある。
【０００３】
この種のプラスチック廃材から付着物を取り除く洗浄装置として、従来、プラスチック廃材を水等の洗浄液中に投入して撹拌することによって、或いは、噴射ノズルから吐出する洗浄水をプラスチック廃材に吹き付けることによって、プラスチック廃材に付着した付着物を洗浄除去する湿式の洗浄装置が用いられていた（例えば、特許文献１を参照。）。
【０００４】
この従来の湿式洗浄装置の場合、多量の洗浄液を必要とし、水の供給や洗浄液の後処理等の水処理設備や洗浄処理がされたプラスチック廃材を乾燥させるための乾燥設備が必要となる等、設備コストや操業コストが高くなるという問題があった。
【０００５】
このため、洗浄過程で洗浄液を使用しない乾式洗浄装置が種々提案されている。例えば、特許文献２や特許文献３には、搬送用スクリュー及びその下流側に突設された撹拌バーを有する回転軸がケーシング内に設けられ、さらに好ましくはケーシング内に投入されたプラスチック廃材を加圧状態で撹拌するための加圧手段がケーシングの排出口に設けられた乾式洗浄装置が記載されている。この装置によると、ケーシングの一端部に形成された廃材投入口から投入されたプラスチック廃材は、回転軸の回転によりケーシング内で旋回する撹拌バーによって撹拌され、廃材同士が擦り合わされることによって廃材の表面に付着した付着物が分離除去される。
【先行技術文献】
【特許文献】
【０００６】
【特許文献１】実開平５−６７３７８号公報
【特許文献２】特開２００２−３１６１０１号公報
【特許文献３】特開２００２−３１６１０４号公報
【発明の概要】
【発明が解決しようとする課題】
【０００７】
しかしながら、撹拌バーの回転によって、廃材同士を擦り合わせるだけでは、表面に強固に付着した付着物を分離除去するには限度がある。
【０００８】
そこで、この発明が解決しようとする課題は、プラスチック廃材等から付着物を簡単かつ効率良く除去するプラスチック廃材等の乾式洗浄装置を提供することである。
【課題を解決するための手段】
【０００９】
この発明は、前記課題を解決するためになされたもので、請求項１に記載の乾式洗浄装置は、洗浄対象物を投入する投入口と、前記投入口から投入された洗浄対象物を所定量ずつ順次供給する供給手段と、前記供給手段により供給された前記洗浄対象物を順次搬送する搬送手段と、外周面に樹脂層が取り付けられ、前記搬送手段の搬送方向に回転する第１回転ローラと、前記第１回転ローラよりも小径であって、外周面にワイヤーブラシ又はサンドペーパーが取り付けられ、前記第１回転ローラに隣接して反対方向に高速回転する第１高速回転ローラと、前記第１高速回転ローラを駆動する第１高速回転ローラ駆動手段と、前記第１回転ローラと同径であって、前記第１高速回転ローラの後段に位置し、前記第１回転ローラに隣接して反対方向に回転する第２回転ローラと、前記第１回転ローラ及び前記第２回転ローラを駆動する回転ローラ駆動手段と、前記第２回転ローラよりも小径であって、前記第２回転ローラの後段に位置し、外周面にワイヤーブラシ又はサンドペーパーが取り付けられ、前記第２回転ローラに隣接して反対方向に高速回転する第２高速回転ローラと、前記第２高速回転ローラを駆動する第２高速回転ローラ駆動手段と、前記第２高速回転ローラを通過した前記洗浄対象物を集荷する集荷手段とを備えることを特徴としている。
【００１０】
請求項１に記載の乾式洗浄装置によれば、第１回転ローラと第１高速回転ローラとが隣接して反対方向に回転するので、搬送手段によって搬送された平板状のプラスチック廃材が第１回転ローラと第１高速回転ローラとの間に挟まれると、内部に送り込まれるとともに、外周面にワイヤーブラシ又はサンドペーパーが取り付けられた第１高速回転ローラが高速回転するので、平板状のプラスチック廃材の一方の面が摺擦洗浄される。
【００１１】
このとき、第１回転ローラの外周面に樹脂層が取り付けられているので、樹脂層による粘着性がプラスチック廃材に対して適度な抵抗となり、第１高速回転ローラの高速回転に追従することなく、プラスチック廃材の表面のゴミ等の付着物が刮ぎ落とされる。
【００１２】
そして、第１回転ローラと同径の第２回転ローラが第１回転ローラに隣接して配設されているので、第１高速回転ローラから後段に送り出された平板状のプラスチック廃材が第１回転ローラと第２回転ローラとの接触面を通過すると、平板状のプラスチック廃材の摺擦洗浄された一方の面が第２回転ローラと接触する。
【００１３】
すなわち、平板状のプラスチック廃材の他方の面が後段の第２高速回転ローラとの接触面となる。第２回転ローラと第２高速回転ローラとが隣接して反対方向に回転するので、第１回転ローラと第２回転ローラとの接触面を通過した平板状のプラスチック廃材が第２回転ローラと第２高速回転ローラとの間に挟まれると、内部に送り込まれるとともに、外周面にワイヤーブラシ又はサンドペーパーが取り付けられた第２高速回転ローラが高速回転するので、平板状のプラスチック廃材の他方の面も摺擦洗浄される。
【００１４】
このとき、第２回転ローラの外周面に樹脂層が取り付けられているので、樹脂層による粘着性がプラスチック廃材に対して適度な抵抗となり、第２高速回転ローラの高速回転に追従することなく、プラスチック廃材の裏面のゴミ等の付着物についても刮ぎ落とされる。
【００１５】
したがって、請求項１に記載の乾式洗浄装置によれば、プラスチック廃材から付着物を簡単かつ効率良くしかも確実に除去することが可能になる。
【００１６】
請求項２に記載の乾式洗浄装置は、請求項２において、前記回転ローラ駆動手段は、前記第２回転ローラを駆動するとともに、該第２回転ローラに前記第１回転ローラを連動させることを特徴としている。
【００１７】
請求項２に記載の乾式洗浄装置によれば、請求項１の効果に加えて、第１回転ローラを第２回転ローラに連動させることで回転ローラ駆動手段を１つ設ければ済むので、コストを抑えることができる。
【００１８】
請求項３に記載の乾式洗浄装置は、請求項１又は請求項２において、前記第１高速回転ローラ及び／又は前記第２高速回転ローラは、複数連設されていることを特徴としている。
【００１９】
請求項３に記載の乾式洗浄装置によれば、請求項１又は請求項２の効果に加えて、第１高速回転ローラ及び／又は第２高速回転ローラを複数連設したので、プラスチック廃材に付着したゴミ等の付着物をより効率的に除去することが可能になる。
【００２０】
請求項４に記載の乾式洗浄装置は、請求項１乃至請求項３の何れか１つにおいて、前記第１高速回転ローラのワイヤーブラシ又はサンドペーパーが第１回転ローラを押圧す圧力を調整する第１圧力調整手段を備えることを特徴としている。
【００２１】
請求項４に記載の乾式洗浄装置によれば、請求項１乃至請求項３の何れか１つの効果に加えて、第１高速回転ローラのワイヤーブラシ又はサンドペーパーが第１回転ローラを押圧す圧力を調整する第１圧力調整手段を設けたので、種々の材質や厚み等を有するプラスチック廃材の表面に対して、第１圧力調整手段の圧力を適宜調整することで対応でき、装置としての柔軟性や融通性が向上する。
【００２２】
請求項５に記載の乾式洗浄装置は、請求項１乃至請求項４の何れか１つにおいて、前記第２高速回転ローラのワイヤーブラシ又はサンドペーパーが第２回転ローラを押圧す圧力を調整する第２圧力調整手段を備えることを特徴としている。
【００２３】
請求項５に記載の乾式洗浄装置によれば、請求項１乃至請求項４の何れか１つの効果に加えて、第２高速回転ローラのワイヤーブラシ又はサンドペーパーが第２回転ローラを押圧す圧力を調整する第２圧力調整手段を設けたので、種々の材質や厚み等を有するプラスチック廃材の裏面に対して、第２圧力調整手段の圧力を適宜調整することで対応でき、装置としての柔軟性や融通性が向上する。
【発明の効果】
【００２４】
本発明によれば、従来のように廃材同士を擦り合わせるだけでは、表面に強固に付着した付着物を分離除去するのが困難なプラスチック廃材等に対しても、付着物を簡単かつ効率良く除去するプラスチック廃材等の乾式洗浄装置を提供することができる。
【図面の簡単な説明】
【００２５】
【図１】乾式洗浄装置の正面図である。
【図２】乾式洗浄装置の平面図である。
【図３】乾式洗浄装置の側面図である。
【発明を実施するための形態】
【００２６】
以下、本発明を適用した具体的な実施の形態について、図面を参照しながら詳細に説明する。
【００２７】
１．乾式洗浄装置１の構成
本発明は、例えば図１乃至図３に示すような構成の乾式洗浄装置１に適用される。ここで、図１は、同洗浄装置１の正面図であり、図２は、同洗浄装置１の平面図であり、図３は、同洗浄装置１の側面図である。
【００２８】
この洗浄装置１は、プラスチック廃材Ｐを投入する投入ホッパー２（投入口に対応）と、投入ホッパー２から投入されたプラスチック廃材Ｐを所定量ずつ順次供給する定量フィーダー３（供給手段に対応）と、定量フィーダー３により供給されたプラスチック廃材Ｐを順次搬送するコンベア４（搬送手段に対応）とを主要部として備えている。
【００２９】
また、同洗浄装置１は、外周面に樹脂層が取り付けられ、コンベア４の搬送方向に回転する回転ローラ５（第１回転ローラに対応）と、回転ローラ５よりも小径であって、外周面にワイヤーブラシ又はサンドペーパーが取り付けられ、回転ローラ５に隣接して反対方向に高速回転する高速回転ローラ６（第１高速回転ローラに対応）と、高速回転ローラ６を駆動するモーター７（第１高速回転ローラ駆動手段に対応）と、回転ローラ５と同径であって、高速回転ローラ６の後段に位置し、回転ローラ５に隣接して反対方向に回転する回転ローラ８（第２回転ローラに対応）と、回転ローラ５及び回転ローラ８を駆動するモーター９（回転ローラ駆動手段に対応）とを主要部として備えている。
【００３０】
さらに、同洗浄装置１は、回転ローラ８よりも小径であって、回転ローラ８の後段に位置し、外周面にワイヤーブラシ又はサンドペーパーが取り付けられ、回転ローラ８に隣接して反対方向に高速回転する高速回転ローラ１０（第２高速回転ローラに対応）と、高速回転ローラ１０を駆動するモーター１１（第２高速回転ローラ駆動手段に対応）と、高速回転ローラ１０を通過したプラスチック廃材Ｐを集荷する集荷ＢＯＸ１２（集荷手段に対応）とを主要部として備えている。
【００３１】
プラスチック廃材Ｐは、平板状の、例えばＰＰ（ポリプロピレン），ＡＢＳ樹脂（アクリロニトリル，ブタジエン，スチレン共重合合成樹脂），ＰＳ（ポリスチレン樹脂）であり、殊に略円盤状の形状をしている。プラスチック廃材Ｐの付着物としては、例えば、ウレタンであったり銀紙やゴム系の付着物を想定している。
【００３２】
投入ホッパー２は、上部に設けられた開口から投入されたプラスチック廃材Ｐを収容できるスペースを有し、収容したプラスチック廃材Ｐを該スペースの下部から定量フィーダー３に供給している。
【００３３】
定量フィーダー３は、投入ホッパー２の下部に設けられており、プラスチック廃材Ｐを所定量ずつコンベア４に順次供給する。
【００３４】
コンベア４は、定量フィーダー３から遠ざかる向きにプラスチック廃材Ｐを搬送するようになっている。コンベア４は、幅が回転ローラ５等と同幅となっており、定量フィーダー３から重ならないように供給されたプラスチック廃材Ｐをそのままの状態で後段へ搬送するように構成されている。
【００３５】
回転ローラ５は、水平に、同洗浄装置１本体に固設された軸受部材（図示省略）に回転自在に軸支されており、回転ローラ８からプーリー（図示省略）及びタイミングベルト（図示省略）を介して、回転ローラ８に連動して回転ローラ８の回転方向と反対方向に回転するようになっている。
【００３６】
回転ローラ８は、水平に、同洗浄装置１本体に固設された軸受部材（図示省略）に回転自在に軸支されており、前述のように、プーリー（図示省略）及びタイミングベルト（図示省略）を介して、回転ローラ５と連結されるとともに、モーター９とも、プーリー１３，１４及びタイミングベルト３０を介して、連結されている。したがって、モーター９を駆動させると、回転ローラ５及び回転ローラ８が連動するようになっている。
【００３７】
回転ローラ５及び回転ローラ８の外周面には、夫々、樹脂層が取り付けられており、この樹脂層による粘着性がプラスチック廃材Ｐに対して適度な抵抗とため、プラスチック廃材Ｐが高速回転ローラ６や高速回転ローラ１０の高速回転に追従することがない。
【００３８】
高速回転ローラ６は、３つの高速回転ローラ６ａ，６ｂ，６ｃで構成されており、モーター７と、プーリー１５ａ，１５ｃ，１６及びタイミングベルト１７を介して、連結されている。また、高速回転ローラ６ｂは、２つのプーリー１８ａ，１８ｂを介して、タイミングベルト１７によって、プーリー１５ａ，１５ｂ，１５ｃと連結されており、これにより、モーター７が駆動すると、３つの高速回転ローラ６ａ，６ｂ，６ｃの夫々が連動して回転するように構成されている。３つの高速回転ローラ６ａ，６ｂ，６ｃの夫々の外周面には、ワイヤーブラシ又はサンドペーパーが取り付けられており、高速回転ローラ６ａ，６ｂ，６ｃが高速回転することで、平板状のプラスチック廃材Ｐの表面が摺擦洗浄される。
【００３９】
高速回転ローラ６及びモーター７は、高速回転ローラ台２３上に固設されており、高速回転ローラ台２３は、回転ローラ５に向けて近づけたり、回転ローラ５から遠ざけたりできるようにプラスチック廃材Ｐの流れ方向に移動可能に設けられている。
【００４０】
高速回転ローラ１０は、３つの高速回転ローラ１０ａ，１０ｂ，１０ｃで構成されており、モーター１１と、プーリー１９ａ，１９ｃ，２１及びタイミングベルト２２を介して、連結されている。また、高速回転ローラ１０ｂは、２つのプーリー２０ａ，２０ｂを介して、タイミングベルト２２によって、プーリー１９ａ，１９ｂ，１９ｃと連結されており、これにより、モーター１１が駆動すると、３つの高速回転ローラ１０ａ，１０ｂ，１０ｃの夫々が連動して回転するように構成されている。３つの高速回転ローラ１０ａ，１０ｂ，１０ｃの夫々の外周面には、ワイヤーブラシ又はサンドペーパーが取り付けられており、高速回転ローラ１０ａ，１０ｂ，１０ｃが高速回転することで、平板状のプラスチック廃材Ｐの裏面が摺擦洗浄される。
【００４１】
高速回転ローラ１０及びモーター１１は、高速回転ローラ台２４上に固設されており、高速回転ローラ台２４は、回転ローラ８に向けて近づけたり、回転ローラ８から遠ざけたりできるようにプラスチック廃材Ｐの流れ方向に移動可能に設けられている。
【００４２】
集荷ＢＯＸ１２は、乾式洗浄がなされたプラスチック廃材Ｐの回収箱であり、高速回転ローラ１０を通過したプラスチック廃材Ｐが重力で落下する箇所に載置されている。
【００４３】
２．乾式洗浄装置１の動作
ここでは、同洗浄装置１の動作について説明する。先ず、ユーザがプラスチック廃材Ｐを投入ホッパー２に投入すると、定量フィーダー３が、投入ホッパー２の下部にあるプラスチック廃材Ｐから順に所定量ずつコンベア４に順次供給する。
【００４４】
コンベア４は、定量フィーダー３から遠ざかる向きにプラスチック廃材Ｐを回転ローラ５と高速回転ローラ６との境界まで搬送する。プラスチック廃材Ｐが回転ローラ５と高速回転ローラ６との間に挟まれると、内部に送り込まれるとともに、高速回転ローラ６が高速回転するので、高速回転ローラ６の外周面に取り付けられたワイヤーブラシ又はサンドペーパーにより、平板状のプラスチック廃材の一方の面が摺擦洗浄される。
【００４５】
このとき、回転ローラ５の外周面に樹脂層が取り付けられているので、樹脂層による粘着性がプラスチック廃材に対して適度な抵抗となり、高速回転ローラ６の高速回転に追従することなく、プラスチック廃材の表面のゴミ等の付着物が刮ぎ落とされる。
【００４６】
そして、回転ローラ５と同径の回転ローラ８が回転ローラ５に隣接して配設されているので、高速回転ローラ６から後段に送り出された平板状のプラスチック廃材Ｐが回転ローラ５と回転ローラ８との接触面を通過すると、平板状のプラスチック廃材Ｐの摺擦洗浄された裏面が回転ローラ８と接触する。
【００４７】
すなわち、平板状のプラスチック廃材Ｐの他方の面が後段の高速回転ローラ１０との接触面となる。回転ローラ８と高速回転ローラ１０とが隣接して反対方向に回転するので、回転ローラ５と回転ローラ８との接触面を通過した平板状のプラスチック廃材Ｐが回転ローラ８と高速回転ローラ１０との間に挟まれると、内部に送り込まれるとともに、外周面にワイヤーブラシ又はサンドペーパーが取り付けられた第２高速回転ローラが高速回転するので、平板状のプラスチック廃材Ｐの他方の面も摺擦洗浄される。
【００４８】
このとき、回転ローラ８の外周面に樹脂層が取り付けられているので、樹脂層による粘着性がプラスチック廃材Ｐに対して適度な抵抗となり、高速回転ローラ１０の高速回転に追従することなく、プラスチック廃材Ｐの裏面のゴミ等の付着物についても刮ぎ落とされる。
【００４９】
高速回転ローラ１０を通過したプラスチック廃材Ｐは、重力により落下して集荷ＢＯＸ１２に回収される。
【００５０】
以上のとおり、本発明に係る乾式洗浄装置１によれば、プラスチック廃材Ｐから付着物を簡単かつ効率良くしかも確実に除去することが可能になる。
【００５１】
なお、本発明は前述した実施の形態のみに限定されるものではなく、本発明の要旨を逸脱しない範囲において種々の変更が可能であることは勿論である。
【符号の説明】
【００５２】
１      乾式洗浄装置
２      投入ホッパー
３      定量フィーダー
４      コンベア
５      回転ローラ
６      高速回転ローラ
６ａ，６ｂ，６ｃ  高速回転ローラ
７      モーター
８      回転ローラ
９      モーター
１０    高速回転ローラ
１０ａ，１０ｂ，１０ｃ  高速回転ローラ
１１    モーター
１３，１４  プーリー
１５ａ，１５ｂ，１５ｃ  プーリー
１６    プーリー
１７    タイミングベルト
１８ａ，１８ｂ  プーリー
１９ａ，１９ｂ，１９ｃ  プーリー
２０ａ，２０ｂ  プーリー
２１    プーリー
２２    タイミングベルト
２３    高速回転ローラ台
２４    高速回転ローラ台
３０    タイミングベルト
Ｐ      プラスチック廃材
【図１】
2013138998.tif 000003
【図２】
2013138998.tif 000004
【図３】
2013138998.tif 000005